【事件の表示】
　特願２００３−　４９１９９「携帯端末装置」拒絶査定不服審判事件〔平成１６年　９月１６日出願公開、特開２００４−２５８９９０〕について、次のとおり審決する。
【結　論】
　本件審判の請求は、成り立たない。
【理　由】
１．手続の経緯　
　本願は、平成１５年２月２６日の出願であって、平成２０年７月３１日付（発送日同年８月５日）で拒絶査定がされ、これに対し、同年９月４日に拒絶査定不服審判が請求され、当審により平成２２年９月１４日付けで拒絶理由を通知し、同年１１月２２日付けで手続補正書が提出されたものである。　
　
２．本願発明について　
　本願請求項１〜４に係る発明は、平成２２年１１月２２日付け手続補正書の特許請求の範囲の請求項１〜４に記載された事項により特定されるとおりのものであるところ、請求項１に係る発明（以下、「本願発明」という。）は、以下のとおりのものである。
　
「【請求項１】　少なくとも１つの筐体と、該筐体に設けられ、文字、記号、画像等の各種情報を表示する表示部と、前記各種情報を含む仮想画面を記憶したメモリ部と、前記筐体に設けられた操作部と、前記表示部に前記仮想画面の少なくとも一部を表示させると共に、前記操作部への入力に基づいて前記表示部への仮想画面の表示を変更する制御部とを備え、　
　前記操作部が、前記表示部に表示する前記仮想画面の表示領域を順次スクロールさせるスクロール操作部と、　
　前記表示部に表示する前記仮想画面の表示領域を別の表示領域に切り換える画面切換操作部と、　
　前記表示部に表示している前記仮想画面の表示位置を、該仮想画面の中央位置となる別の表示領域に切り替える基準移動操作部と、　
を備え、　
　前記画面切換操作部は、所定方向に並んだ第１のキーと第２のキーとを備え、前記第１のキーが操作された場合には当該所定方向の一方側に画面を切り替え、前記第２のキーが操作された場合には当該一方側とは逆の他方側に画面を切り替え、　
　前記基準移動操作部は、前記第１のキーと前記第２のキーとの間に備えられる第３のキーを備え、当該第３のキーが操作された場合には前記表示部における前記仮想画面の表示位置を当該仮想画面の前記所定方向における中央位置に切り替え、　
　前記スクロール操作部は、前記第１のキー、前記第２のキーおよび前記第３のキーとは異なる方向キーであることを特徴とする携帯端末装置。」　
　
３．引用文献　
（１）引用文献１　 
　当審において、平成２２年９月１４日付けで通知した拒絶理由に引用した特開２００３−８７０１号公報（以下、「引用文献１」と言う。）には、図面と共に、次のような記載がある。　
　
（ア）「【０００８】　
【発明の実施の形態】以下、本発明に係る電話機の実施の形態を、撮像機能を有する携帯電話機（以下、単に「携帯電話機」という。）に適用した例について説明する。　
（携帯電話機１の内部構成）図１は、本実施の形態の携帯電話機１の内部構成を示す機能ブロック図である。　
【０００９】同図に示すように、携帯電話機１は、通信部２、音声入力部３、音声出力部４、撮像部５、記憶部６、操作部７、表示部８、および制御部９を備え、撮像部５で撮像した画像を待受画面として利用する機能を有するものである。通信部２は、アンテナを介して無線により基地局と通信を行い、音声や電子メール等の情報を送受信する。」（段落【０００８】〜【０００９】）　
　
（イ）「【００１２】表示部８は、液晶ディスプレイ（ＬＣＤ）からなり、受信した情報や待受画面等をその表示領域に表示する。制御部９は、携帯電話機１全体の動作制御を行って、公知の携帯電話の通信処理により基地局と通信を行うと共に、図示しないシャッターボタンが押されると撮像部５に指示して撮像処理を行わせる。また、待受画面編集処理を実行する。
【００１３】（操作部７のキー配置）図２は、操作部７に配されるキーの構成を示す図である。同図に示すように、操作部７には、テンキー１１、通信キー１２、電源キー１３、上キー１４、下キー１５、左キー１６、右キー１７、メニューキー１８および決定キー１９が備えられている。」（段落【００１２】〜【００１３】）　
　
（ウ）「【００１６】（撮像処理の内容）図３は、撮像部５による撮像処理の内容を示すフローチャートである。同図に示すように、撮像部５は、制御部９からの撮影指示の有無を判断し、撮影指示がない場合には（ステップＳ１で「Ｎ」）、その指示を待つ。撮影指示があると（ステップＳ１で「Ｙ」）、撮影動作を行い（ステップＳ２）、撮影した画像の画像データを記憶部６に格納させる（ステップＳ３）。　
【００１７】なお、この撮像部５は、表示部８の表示領域に表示できる範囲よりも広い範囲で画像を撮影するものであり、そのため撮影画像を待受画面として利用するときには、その全部が表示領域の枠内に入らず、すなわち撮影画像の、表示領域の大きさに相当する範囲の部分が待受画面として表示されるようになっている。図４は、撮影画像と、待受画面として表示される画像との大きさの相対関係を模式的に示した図である。同図では、２１が撮影画像を、２２が表示領域（画面）の枠を示しており、その枠２２内の部分が待受画面としてディスプレイに表示されるものである。　
【００１８】（待受画面編集処理の内容）図５は、制御部９による待受画面編集処理の内容を示すフローチャートであり、当該処理は、メニュー画面においてユーザにより「待受画面編集」が選択されたときに実行される。なお、ここでは、図４で示す撮影画像の画像データが待受画面のための画像データとして記憶部６に格納されているものとする。　
【００１９】同図に示すように、制御部９は、まず記憶部６から上記画像データを読み出し、現在の待受画面として設定されている画像を表示部８に表示させる（ステップＳ１１）。図６は、表示部８に表示されている画面５０の一例を示す図である。ここで、同図のＡ〜Ｉは、表示部８の表示領域を縦横３×３のマトリクス状に９個の領域に仮想的に等分割したときの各領域を示すための符号であり、点６１は、表示領域中央に位置する画素を示したものである。」（段落【００１６】〜【００１９】）　
　
（エ）「図７は、ステップＳ１５の領域移動処理のサブルーチンの内容を示すフローチャートである。同図に示すように、まず制御部９は、押されたキーが「１」キーであるか否かを判断する（ステップＳ３１）。「１」キーであると判断すると（ステップＳ３１で「Ｙ」）、表示部８の表示領域（以下、単に「画面」という。）中央に位置する画素６１が領域「Ａ」の中央に位置するように画像全体を左上方向に移動させる画像処理を行って（ステップＳ３２）、メインルーチンにリターンする。」（段落【００２２】）
　
（オ）「制御部９は、どのキーが押されるとどの領域に画素６１を移動させる画像処理を行うかを予め記憶部６内に記憶されている管理テーブルを領域・キー対応情報として参照して決定する。
【００２５】図９は、管理テーブル９０の内容を示す図であり、領域とテンキーとの対応関係を示しており、表示領域を仮想的に領域Ａ〜Ｉの領域に分割したときの分割領域の位置関係と、テンキーの「１」〜「９」キーの配置関係とが位置的に相関性を有する、すなわち領域「Ｅ」を中心としたときの各領域の位置と、「５」キーを中心としたときの各キーの位置とが、同じとなるもの同士を対応させたものになっている。
【００２６】したがって、例えば領域「Ｅ」に対して左上に位置する領域「Ａ」については、テンキー「５」に対して左上に位置する「１」キーが割り当てられ、したがって「１」キーが押されると、領域「Ａ」に画素６１が移動する。また、例えば領域「Ｅ」に対して右下に位置する領域「Ｉ」については、テンキー「５」に対して右下に位置する「９」キーが割り当てられ、後述のように「９」キーが押されると領域「Ｉ」に画素６１が移動するように画像処理がなされることになり、「５」キーを中心としたときの各キーの位置する方向と画像の移動方向とがそれぞれ一致するようになっている。
【００２７】図７に戻って、「１」キーではなく「２」キーが押されたことを判断すると（ステップＳ３１で「Ｎ」、Ｓ３３で「Ｙ」）、管理テーブル９０の内容を参照して、画面中央にある画素６１が領域「Ｂ」の中央に位置するように画像を領域単位で上方向に移動させる（ステップＳ３４）。この場合、図１０に示すような画面になる。すなわち、ユーザは「２」キーを１回押すという簡易な操作で、画像を上方向に１領域分移動させることができる。
【００２８】また、「３」キーが押されたことを判断すると（ステップＳ３３で「Ｎ」、Ｓ３５で「Ｙ」）、画素６１が、領域「Ｃ」の中央に位置するように画像を領域単位で右上方向に移動させる（ステップＳ３６）。すなわち、ユーザは「３」キーを１回押すという簡易な操作で、画像を右上方向に１領域分移動させることができる。
【００２９】そして、「４」キーが押されたことを判断すると（ステップＳ３５で「Ｎ」、Ｓ３７で「Ｙ」）、画素６１が、領域「Ｄ」の中央に位置するように画像を領域単位で左方向に移動させる（ステップＳ３８）。すなわち、ユーザは「４」キーを１回押すという簡易な操作で、画像を左方向に１領域分移動させることができる。
【００３０】また、「６」キーが押されたことを判断すると（ステップＳ３７で「Ｎ」、Ｓ３９で「Ｙ」）、画素６１が、領域「Ｆ」の中央に位置するように画像を領域単位で右方向に移動させる（ステップＳ４０）。すなわち、ユーザは「６」キーを１回押すという簡易な操作で、画像を右方向に１領域分移動させることができる。
【００３１】「７」キーが押されたことを判断すると（ステップＳ３９で「Ｎ」、Ｓ４１で「Ｙ」）、画素６１が、領域「Ｇ」の中央に位置するように画像を領域単位で左下方向に移動させる（ステップＳ４２）。すなわち、ユーザは「７」キーを１回押すという簡易な操作で、画像を左下方向に１領域分移動させることができる。「８」キーが押されたことを判断すると（ステップＳ４１で「Ｎ」、Ｓ４３で「Ｙ」）、画素６１が、領域「Ｈ」の中央に位置するように画像を領域単位で下方向に移動させる（ステップＳ４４）。すなわち、ユーザは「８」キーを１回押すという簡易な操作で、画像を下方向に１領域分移動させることができる。
【００３２】「９」キーが押されたことを判断すると（ステップＳ４３で「Ｎ」、Ｓ４５で「Ｙ」）、画素６１が、領域「Ｉ」の中央に位置するように画像を領域単位で右下方向に移動させる（ステップＳ４６）。すなわち、ユーザは「９」キーを１回押すという簡易な操作で、画像を右下方向に１領域分移動させることができる。制御部９は、上記ステップＳ３２等において画像の領域単位での移動処理を終えるとメインルーチンにリターンする。また、「５」キーが押された場合には、移動処理を行わずそのままリターンする。」（段落【００２４】〜【００３２】）　
　
（カ）「ここで、スクロールキーは、上記したように上キー１４、下キー１５、左キー１６、右キー１７のことである。」（段落【００３４】）　
　
（キ）「以上説明したように、本実施の形態の待受画面編集処理では、「１」〜「９」キーが押されると、テンキー１１を正面から見たときの、「５」キーに対して各キーが位置する方向と同じ方向に画像を領域単位で一括移動させる。したがって、ユーザは、「５」キーを中心として見たときに、画像を大きく移動させたいと思う方向と同じ方向に位置する「１」〜「９」のいずれかのキーを１回押すという簡単な操作を行うだけで、画像を目的の方向に大きく移動させることができ、いちいちどのキーを押せばどの方向に移動するかを考える必要がないことから、その押下操作を瞬時に行うことができるという効果がある。　
【００３９】また、スクロールキーが押されると、表示されている画像を入力されたキーに対応する方向に１画素分移動させて表示させる。したがって、例えば領域移動処理において希望する位置に画像を領域単位で移動させた後、その画像の表示位置を１画素単位で微調整することができユーザにとって使い勝手が良くなるという効果がある。」（段落【００３８】〜【００３９】）　
　
（ク）図面第２図を参照すると、テンキー１１は、３行×３列であって、上行は左から「１」、「２」、「３」と配置され、中行は左から「４」「５」「６」と配置され、下行は、左から「７」「８」「９」と配置されている。
　
　したがって、引用文献１には次の発明（以下、「引用発明」という。）が記載されているものと認められる。　
　
「携帯電話機１は、通信部２、音声入力部３、音声出力部４、撮像部５、記憶部６、操作部７、受信した情報や待受画面等をその表示領域に表示する表示部８、および制御部９を備え、　
　操作部７には、３行×３列であって、上行は左から「１」、「２」、「３」と配置され、中行は左から「４」「５」「６」と配置され、下行は、左から「７」「８」「９」と配置されるテンキー１１、通信キー１２、電源キー１３、上キー１４、下キー１５、左キー１６、右キー１７、メニューキー１８および決定キー１９が備えられ、
　表示部８の表示領域に表示できる範囲よりも広い範囲で画像を撮影する撮像部５は、撮影指示があると、撮影動作を行い、撮影した画像の画像データを記憶部６に格納させ、
　制御部９は、記憶部６から上記画像データを読み出し、現在の待受画面として設定されている画像の表示領域に相当する範囲の部分を表示部８に表示させ、
　表示部８の表示領域を縦横３×３のマトリクス状に９個の領域Ａ〜Ｉに仮想的に等分割したとき、
　制御部９は、押されたキーが「１」キーであるか否かを判断し、「１」キーであると判断すると、表示部８の表示領域中央に位置する画素６１が領域「Ａ」の中央に位置するように画像全体を左上方向に移動させる画像処理を行い、
　「２」キーが押されたことを判断すると管理テーブル９０の内容を参照して、画面中央にある画素６１が、領域「Ｂ」の中央に位置するように画像を領域単位で上方向に移動させ、
　「３」キーが押されたことを判断すると、画素６１が、領域「Ｃ」の中央に位置するように画像を領域単位で右上方向に移動させ、
　「４」キーが押されたことを判断すると、画素６１が、領域「Ｄ」の中央に位置するように画像を領域単位で左方向に移動させ、
　「６」キーが押されたことを判断すると、画素６１が、領域「Ｆ」の中央に位置するように画像を領域単位で右方向に移動させ、
　「７」キーが押されたことを判断すると、画素６１が、領域「Ｇ」の中央に位置するように画像を領域単位で左下方向に移動させ、
　「８」キーが押されたことを判断すると、画素６１が、領域「Ｈ」の中央に位置するように画像を領域単位で下方向に移動させ、
　「９」キーが押されたことを判断すると、画素６１が、領域「Ｉ」の中央に位置するように画像を領域単位で右下方向に移動させ、
　スクロールキー（上キー１４、下キー１５、左キー１６、右キー１７）が押されると、表示領域に相当する範囲の画像データの部分を入力されたキーに対応する方向に１画素分移動させて表示させる携帯電話機１。」
　
４．対比 
　本願発明と引用発明の一致点・相違点  
　
　引用発明の「表示部８」は、受信した情報や待受画面等の画像をその表示領域に表示させており、本願発明の「表示部」と画像等の各種情報を表示させる点で共通している。
　
　引用発明の「画像データ」は、表示部８の表示領域に表示できる範囲よりも広い範囲の画像であるから、本願発明の「仮想画面」に相当する。
　
　引用発明の「記憶部６」は、表示する画像を記憶しており、本願発明の「メモリ部」と画像を記憶する点で共通している。
　
　引用発明の「制御部９」は、記憶部６から画像データを読み出し、現在の待受画面として設定されている画像の表示領域に相当する範囲の部分を表示部８に表示させ、スクロールキー及びテンキーへの入力に基づいて表示する画像を移動させているから、本願発明の「制御部」に相当する。
　
　引用発明の「スクロールキー（上キー１４、下キー１５、左キー１６、右キー１７）」は、表示領域に相当する範囲の画像データの部分を入力されたキーに対応する方向に１画素分移動させて画像をスクロール表示させ、画像を領域単位で移動させるテンキーとも異なるキーであるから、本願発明の「スクロール操作部」に相当する。　
　
　引用発明の「テンキー１１」は、「５」キーの縦方向に対して、上方には「２」キーが配置され、下方には「８」キーが配置され、「２」キーが押されたときには、画面中央にある画素６１が、領域「Ｂ」の中央に位置するように画像を領域単位で上方向に移動させ、「８」キーが押されたときには、画素６１が、領域「Ｈ」の中央に位置するように画像を領域単位で下方向に移動さているから、本願発明の「画面切換操作部」と所定方向に並んだ第１のキーと第２のキーとを備え、第１のキーが操作された場合には当該所定方向の一方側に画面を切り替え、前記第２のキーが操作された場合には当該一方側とは逆の他方側に画面を切り替える点で共通している。
　
　引用発明の「携帯電話機１」は、本願発明の「携帯端末装置」に相当する。
　したがって、本願発明と引用発明の一致点・相違点は、次のとおりである。　
　
（一致点）　
「画像等の各種情報を表示する表示部と、仮想画面を記憶したメモリ部と、操作部と、前記表示部に前記仮想画面の少なくとも一部を表示させると共に、前記操作部への入力に基づいて前記表示部への仮想画面の表示を変更する制御部とを備え、　
　前記操作部が、前記表示部に表示する前記仮想画面の表示領域を順次スクロールさせるスクロール操作部と、　
　前記表示部に表示する前記仮想画面の表示領域を別の表示領域に切り換える画面切換操作部と、　
を備え、　
　前記画面切換操作部は、所定方向に並んだ第１のキーと第２のキーとを備え、前記第１のキーが操作された場合には当該所定方向の一方側に画面を切り替え、前記第２のキーが操作された場合には当該一方側とは逆の他方側に画面を切り替え、　
　前記スクロール操作部は、前記第１のキーおよび前記第２のキーとは異なる方向キーである携帯端末装置。」  
 　 
（相違点１）
　本願発明では、メモリ部が記憶する仮想画面に含まれる各種情報に文字、記号、画像等を含むのに対して、引用発明では、記憶部に格納されるのは撮影した画像の画像データであり、文字、記号を含む特段の記載がない点。　
　
（相違点２）
　本願発明では、携帯端末装置は筐体を有し、該筐体に表示部が設けられるのに対して、引用発明では、筐体を備える特段の記載がない点。
　
（相違点３）
　本願発明では、第１のキーと第２のキーとの間に第３のキーを備え、当該第３のキーが操作された場合には表示部における仮想画面の表示位置を当該仮想画面の所定方向における中央位置に切り替える基準移動操作部を備えているのに対して、引用発明においては、そのような構成を備える記載がない点。
　
５．判断 
　上記相違点について以下に検討する。　
　
（相違点１について）　
　携帯電話装置において、メモリ部が記憶する待受画面のデータとして文字、記号、画像等の各種情報を含むことは文献を例示するまでもなく周知技術である。
　したがって、引用発明においても、メモリ部が記憶する待受画面のデータとして文字、記号、画像等の各種情報を含むように構成することは当業者が適宜なし得る設計的事項であって当業者が容易に想到するものである。
　
（相違点２について）
　携帯電話装置が筐体を備え、表示部を前記筐体に設ける構成は慣用技術である。
　したがって、引用発明においても、筐体を備え、該筐体に表示部を設ける構成を採用することは当業者が適宜なし得る設計的事項であって当業者が容易に想到するものである。
　
（相違点３について）
　当審において、平成２２年９月１４日付けで通知した拒絶理由に引用した特開２００１−８６３２１号公報（以下、「引用文献２」と言う。）には、「原画像上の所定領域の部分画像のみが現在の部分画像としてＬＣＤ画面全体に拡大表示（ズーム表示）される」「電子カメラ１１」において、「上方向キーと下方向キーが同時操作された場合には」、「部分画像の指定位置は現在位置から原画像上の上端と下端との間の中央位置に一度に移動され」、「右方向キーと左方向キーが同時操作された場合は、部分画像の指定位置は現在位置から原画像上の左端と右端との間の中央位置に一度に移動される」記載（段落【００１７】、【００３９】、【００５０】〜【００５１】参照）されている。
　また、画像を縦、横及び斜めに移動させる８方キーのそれぞれ対向する方向に移動させるキーの間に表示する画像をセンタリングするセンタリングキーを配置する構成は周知技術（例えば、特開２００１−７６３号公報の段落０００５〜０００６の記載参照）である。
　したがって、引用発明の携帯電話機においても、表示部に表示している仮想画面の表示位置を中央位置となる領域に切り替える基準移動操作部を「５」キーに割り当てる構成とすることは、当業者が容易に想到するものである。
　そして、本願発明の効果も引用文献１、引用文献２に記載された事項及び周知技術から当業者が予測できる範囲のものである。 
　
６．むすび  
　以上のとおり、本願発明は、引用発明、引用文献２に記載された事項及び周知技術に基づいて、当業者が容易に発明をすることができたものであるから、特許法第２９条第２項の規定により特許を受けることができない。　
　したがって、その余の請求項について論及するまでもなく、本願は拒絶すべきものである。